(57)【要約】【課題】ガス冷媒に対応した伝熱部に冷温水を供給しても、良好な冷暖房効果が得られる住宅用冷暖房装置を提供する。【解決手段】冷房運転時に電力駆動式のヒートポンプ１の冷媒を凝縮させる凝縮機能を有し、かつ暖房運転時にヒートポンプ１の冷媒を蒸発させる蒸発機能を有する空気側熱交換器３と、ヒートポンプ１の冷媒と水とを熱交換して冷温水とする水側熱交換器５と、水側熱交換器５の冷温水が配管８，２２，２３を通して導かれる伝熱部２４と、を備え、配管８，２２，２３において伝熱部２４に直接接続される配管部２３を複数の系統に分岐構成した。【選択図】      図１
2004169946.tif 000002
【特許請求の範囲】
【請求項１】
冷房運転時に電力駆動式のヒートポンプの冷媒を凝縮させる凝縮機能を有し、かつ暖房運転時に前記ヒートポンプの冷媒を蒸発させる蒸発機能を有する空気側熱交換器と、
前記ヒートポンプの冷媒と水とを熱交換して冷温水とする水側熱交換器と、
前記水側熱交換器の冷温水が配管を通して導かれる伝熱部と、
を備え、
前記配管において前記伝熱部に直接接続される配管部を複数の系統に分岐構成したことを特徴とする住宅用冷暖房装置。
【請求項２】
請求項１記載の住宅用冷暖房装置において、
前記伝熱部に直接接続される配管部は、前記配管に介挿されたヘッダーから複数の系統に分岐された第１分岐配管からさらに複数の系統に分岐された第２分岐配管であることを特徴とする住宅用冷暖房装置。
【請求項３】
請求項２記載の住宅用冷暖房装置において、
前記第２分岐配管は、冷媒用伝熱部に接続される配管に対して太径に形成されていることを特徴とする住宅用冷暖房装置。
【請求項４】
請求項２記載の住宅用冷暖房装置において、
前記第１分岐配管を継目なし配管としたことを特徴とする住宅用冷暖房装置。
【請求項５】
請求項２記載の住宅用冷暖房装置において、
前記第１分岐配管と前記第２分岐配管とをフレア式管継手を介して接続したことを特徴とする住宅用冷暖房装置。
【請求項６】
請求項１記載の住宅用冷暖房装置において、
前記伝熱部は、ファンコイルユニット、床暖房パネルであることを特徴とする住宅用冷暖房装置。
【請求項７】
請求項６記載の住宅用冷暖房装置において、
前記ファンコイルユニットのカバーに化粧板を着脱可能に設けたことを特徴とする住宅用冷暖房装置。
【発明の詳細な説明】
【０００１】
【発明の属する技術分野】
本発明は、一般住宅に設置されて室内の冷暖房を行うための住宅用冷暖房装置に関する。
【０００２】
【従来の技術】
一般に、住宅用冷暖房装置には、ヒートポンプ式の冷暖房装置がある。この冷暖房装置は、ベランダやバルコニーなどに室外機を設置し、この室外機により冷房時には室内の熱を吸収して大気中に熱を運び込む一方、暖房時には大気中の熱を吸収して室内に運び込むことにより、冷暖房を行っている。
【０００３】
このような冷暖房装置は、フロンまたは代替フロン冷媒を使用するため、吹出口から吹き出される空気の温度を直接調節することができず、冷房時、常に５℃程度に冷却されたフロンまたは代替フロン冷媒が蒸発器（以下、伝熱部ともいう。）を循環している。そして、室内の温度を検知するセンサによって室内の温度が予め設定された温度以上に達したことを検知した場合、装置本体に運転指令を出力し、再度冷却空気を吹き出させ、室温を調節するようにしている。
【０００４】
【発明が解決しようとする課題】
しかしながら、上述したヒートポンプ式の冷暖房装置における室内機の蒸発器は、循環するフロンまたは代替フロン冷媒に対応した構造に製造されているため、その構造を、そのまま冷温水を冷媒とした冷暖房装置に適応することが不可能であった。
【０００５】
因みに、これはフロンまたは代替フロン冷媒は、気化した際にガス状であるため、圧縮機によりかなりの圧力が加えられるものの、上記冷温水の場合はその特性上、加えられる圧力がガス冷媒に比較して格段に低いからである。
【０００６】
したがって、ガス冷媒に対応した冷暖房装置に、冷媒として冷温水を用いた場合には、一旦蒸発器に入った水が蒸発器から排出されるまで、その水に熱を吸収するだけのポテンシャルを持たないため、つまり冷媒として機能を果たすことができず、途中で室温と同じ温度近傍まで上昇してしまい、望ましい冷暖房効果が得られないという問題があった。
【０００７】
そのため、ガス冷媒に対応した蒸発器では、冷媒として冷温水を用いることができないことから、冷媒として冷温水を用いる場合には、冷温水用の伝熱部を新たに製造して設置する必要がある。その分、製造時間および製造コストが増加するという問題があった。
【０００８】
本発明は上述した事情を考慮してなされたもので、ガス冷媒に対応した伝熱部に冷温水を供給しても、良好な冷暖房効果が得られる住宅用冷暖房装置を提供することを目的とする。
【０００９】
【課題を解決するための手段】
上記目的を達成するために、本発明の請求項１記載の発明は、冷房運転時に電力駆動式のヒートポンプの冷媒を凝縮させる凝縮機能を有し、かつ暖房運転時に前記ヒートポンプの冷媒を蒸発させる蒸発機能を有する空気側熱交換器と、前記ヒートポンプの冷媒と水とを熱交換して冷温水とする水側熱交換器と、前記水側熱交換器の冷温水が配管を通して導かれる伝熱部と、を備え、前記配管において前記伝熱部に直接接続される配管部を複数の系統に分岐構成したことを特徴とする。
【００１０】
請求項１記載の発明によれば、水側熱交換器の冷温水が導かれる伝熱部に直接接続される配管部を複数の系統に分岐構成したことにより、水側熱交換器の冷温水が複数の系統の配管部から伝熱部に導かれるので、伝熱部に単位時間当たりに供給される冷温水の量が大幅に増加する。
【００１１】
したがって、ガス冷媒に対応した既存の伝熱部に本発明のように冷媒として冷温水を用いた場合でも、伝熱部に供給された冷温水が排出されるまでに冷媒として機能を十分果たすことができ、望ましい冷暖房効果を得ることができるとともに、冷温水用の伝熱部を新たに製造する必要がなくなる。
【００１２】
請求項２記載の発明は、請求項１記載の住宅用冷暖房装置において、前記伝熱部に直接接続される配管部は、前記配管に介挿されたヘッダーから複数の系統に分岐された第１分岐配管からさらに複数の系統に分岐された第２分岐配管であることを特徴とする。
【００１３】
請求項２記載の発明によれば、伝熱部に直接接続される配管部は、配管に介挿されたヘッダーから複数の系統に分岐された第１分岐配管からさらに複数の系統に分岐された第２分岐配管であることから、伝熱部に対して冷温水の流量および温度の均一化が図れ、常に一定の冷暖房効果が得られる。
【００１４】
請求項３記載の発明は、請求項２記載の住宅用冷暖房装置において、前記第２分岐配管は、冷媒用伝熱部に接続される配管に対して太径に形成されていることを特徴とする。
【００１５】
請求項３記載の発明によれば、前記第２分岐配管を冷媒用伝熱部に接続される配管に対して太径に形成したことにより、伝熱部に単位時間当たりに供給される冷温水の量が大幅に増加するので、一段と望ましい冷暖房効果を得ることができる。
【００１６】
請求項４記載の発明は、請求項２記載の住宅用冷暖房装置において、前記第１分岐配管を継目なし配管としたことを特徴とする。
【００１７】
請求項４記載の発明によれば、第１分岐配管を継目なし配管としたことにより、水漏れ事故を未然に防止し、冷温水の流れの抵抗を低減させることができる。
【００１８】
請求項５記載の発明は、請求項２記載の住宅用冷暖房装置において、前記第１分岐配管と前記第２分岐配管とをフレア式管継手を介して接続したことを特徴とする。
【００１９】
請求項５記載の発明によれば、第１分岐配管と第２分岐配管とをフレア式管継手を介して接続したことにより、配管作業の簡素化を図ることができる。
【００２０】
請求項６記載の発明は、請求項１記載の住宅用冷暖房装置において、前記伝熱部は、ファンコイルユニット、床暖房パネルであることを特徴とする。
【００２１】
請求項６記載の発明によれば、伝熱部をファンコイルユニット、床暖房パネルとしたことにより、室内において望ましい冷暖房効果を得ることができる。すなわち、ファンコイルユニットには冷温水を、床暖房パネルには温水を導くことで、暖房運転時には暑くなり過ぎず、また冷房運転時には冷え過ぎることなく、理想的な冷暖房を行うことができる。
【００２２】
請求項７記載の発明は、請求項６記載の住宅用冷暖房装置において、前記ファンコイルユニットのカバーに化粧板を着脱可能に設けたことを特徴とする。
【００２３】
請求項７記載の発明によれば、ファンコイルユニットのカバーに化粧板を着脱可能に設けたことにより、好ましい室内装飾効果が得られる。
【００２４】
【発明の実施の形態】
以下、本発明の実施形態を図面に基づいて説明する。
【００２５】
図１は本発明に係る住宅用冷暖房装置の一実施形態を示す配管系統図、図２は図１におけるファンコイルユニットとヘッダーからの分岐配管との接続形態を示す分解図、図３は本発明に係る住宅用冷暖房装置の一実施形態を示す空調系統図である。
【００２６】
図１に示すように、ヒートポンプとしてのヒートポンプチラー１は、屋外に設置され電力により駆動して冷媒を圧縮する圧縮機２を有し、この圧縮機２は、冷房運転時に冷媒を凝縮させる凝縮機能を有し、かつ暖房運転時に冷媒を蒸発させる蒸発機能を有する空気側熱交換器３と、冷媒と水とを熱交換して冷温水とする水側熱交換器５とそれぞれ接続されている。そして、空気側熱交換器３および水側熱交換器５は、ヒートポンプチラー１内に設置されている。
【００２７】
冷房運転時には、圧縮機２で高温高圧に圧縮された冷媒を空気側熱交換器３によって凝縮して低圧液冷媒を水側熱交換器５で蒸発し冷水に変換し冷媒が圧縮機２に戻る。また、暖房運転時には、圧縮機２で高温高圧に圧縮された冷媒を水側熱交換器５で凝縮して温水に変換し、冷媒は空気側熱交換器３で蒸発し、圧縮機２に戻る。
【００２８】
水側熱交換器５は、圧縮機２と空気側熱交換器３との間に介挿され、冷房運転時には空気側熱交換器３によって凝縮した冷媒が供給され、水側熱交換器５で屋内を循環する循環水と熱交換して循環水を冷水とする一方、暖房運転時には圧縮機２により圧縮された冷媒が供給され、水側熱交換器５で屋内を循環する循環水と熱交換して循環水を温水とする。
【００２９】
また、水側熱交換器５には、上記冷水または温水となった循環水を循環させるために３２Ａ径の被覆銅管からなる配管としての往き配管８および戻り配管９の一端がそれぞれ接続され、これら往き配管８および戻り配管９の他端は、それぞれファンコイルユニット側の往きヘッダー１０および戻りヘッダー１１に接続されている。そして、往き配管８および戻り配管９は、それぞれ途中から分岐して床暖房側の往きヘッダー１２および戻りヘッダー１３に接続されている。
【００３０】
ここで、ファンコイルユニット側の往きヘッダー１０および戻りヘッダー１１は、それぞれ例えば天井裏空間１４内に配置される一方、床暖房側の往きヘッダー１２および戻りヘッダー１３は、それぞれ例えば床下空間１５内に配置される。
【００３１】
さらに、往き配管８および戻り配管９の水側熱交換器５の近傍には、それぞれ防振フレキシブル管１６，１７が介挿され、防振フレキシブル管１６の上流側の往き配管８には循環ポンプ１８が介挿され、この循環ポンプ１８を駆動させることで、水側熱交換器５により熱交換された冷温水を循環させる。また、防振フレキシブル管１６の下流側の往き配管８は分岐され、その分岐管１９に加圧ポンプ２０および開閉弁２１が接続されており、開閉弁２１を開けて加圧ポンプ２０を駆動させることで、上記循環水が補給される。
【００３２】
往きヘッダー１０および戻りヘッダー１１には、１５．８８ｍｍ径の被覆なまし銅管からなる第１分岐配管２２の各一端が複数接続され、これらの第１分岐配管２２は、銅管を折り曲げて配設する継目なし配管が用いられ、その各他端がさらに３本に分岐された６．３５ｍｍ径の第２分岐配管２３の一端に接続され、これらの第２分岐配管２３の各他端が天井裏空間１４内に複数配置された伝熱部としての天井カセット形のファンコイルユニット２４に直接接続されている。すなわち、ファンコイルユニット２４には、配管部としての３本の第２分岐配管２３が直接接続されている。
【００３３】
各第１分岐配管２２の他端は、図２に示すようにそれぞれフレア式管継手２５を介して各第２分岐配管２３の一端と接続され、フレア式管継手２５は、各第１分岐配管２２の第２分岐配管２３との接続側先端が円錐状に拡開形成された拡開部２２ａと、各第１分岐配管２２に装着され内周面に雌ねじが刻設された締付けボルト２６と、この締付けボルト２６と螺合する第２分岐配管２３の雄ねじ部２７とを備えている。
【００３４】
このように構成されたフレア式管継手２５を介して第２分岐配管２３に第１分岐配管２２を接続するには、ファンコイルユニット２４の伝熱管２４ａに直接接続された第２分岐配管２３の雄ねじ部２７に、図示しないシールテープを巻き付けた後、第２分岐配管２３の雄ねじ部２７先端に第１分岐配管２２の拡開部２２ａを接合した後、雄ねじ部２７に締付けボルト２５の雌ねじを螺合させて締め付けることにより、接続作業を完了する。
【００３５】
なお、ファンコイルユニット２４の伝熱管２４ａには、エア抜き管２８が接続され、このエア抜き管２８を通して伝熱管２４ａ内のエアを適宜抜き取るようにしている。
【００３６】
一方、床暖房側の往きヘッダー１２および戻りヘッダー１３には、図１に示すように１２．７ｍｍ径のなまし銅管からなる分岐配管３１の各一端が複数接続され、これらの分岐配管３１はなまし銅管を折り曲げて配設する継目なし配管が用いられ、各他端が床下空間１５内に複数配置された伝熱部としての床暖房パネル３２およびポリエチレン製の蛇行部３３に接続されている。この蛇行部３３は分岐配管３１と図示しないユニオン継手を介して接続され、蛇行部３３に温水が供給されてそのまま床暖房として用いられる。
【００３７】
なお、往きヘッダー１２側に接続された分岐配管３１には、それぞれ電磁弁３４が介挿され、床暖房が不要な時期には、これらの電磁弁３４を閉止しておき、往きヘッダー１２側に接続された分岐配管３１に循環水が流通しないようにしておく。
【００３８】
次に、各種タイプのファンコイルユニット２４に接続される第２分岐配管２３の径および本数を図３に基づいて説明する。
【００３９】
上述したファンコイルユニット２４は天井カセット形であり、ファンコイルユニット２４に接続される３本の第２分岐配管２３は、入口側および出口側の双方共６．３５ｍｍ径を有している。これに対し、フロンまたは代替フロン冷媒を用いた従来例において伝熱管２４ａに接続される分岐配管は、図３に示すように入口側が６．３５ｍｍ径２本で、出口側が６．３５ｍｍ径１本から構成されている。このような天井カセット形のファンコイルユニット２４は、暖房能力４．７６ｋＷ、暖房目安木造７畳〜鉄筋８畳、広さ１１〜１４ｍ３であって、冷房能力２．５４ｋＷ、冷房目安木造７畳〜鉄筋１０畳、広さ１１〜１８ｍ３に適用可能である。
【００４０】
また、壁掛け形のファンコイルユニット２４の第２分岐配管２３は、従来例では入口側が９．５２ｍｍ径１本、出口側が６．３５ｍｍ径１本から構成されているのに対し、本実施形態では入口側および出口側の双方共、それぞれ６．３５ｍｍ径３本から構成されている。このような壁掛け形のファンコイルユニット２４は、暖房能力４．７６ｋＷ、暖房目安木造７畳〜鉄筋８畳、広さ１１〜１４ｍ３であって、冷房能力２．５４ｋＷ、冷房目安木造７畳〜鉄筋１０畳、広さ１１〜１８ｍ３に適用可能である。
【００４１】
さらに、天井カセット大容量形のファンコイルユニット２４の第２分岐配管２３は、従来例では入口側が６．３５ｍｍ径４本、出口側が９．５２ｍｍ径３本から構成されているのに対し、本実施形態では入口側が９．５２ｍｍ径４本、出口側が９．５２ｍｍ径３本から構成されている。このような天井カセット大容量形のファンコイルユニット２４は、暖房能力８．７５ｋＷ、暖房目安木造１４畳〜鉄筋１７畳、広さ２３〜２９ｍ３であって、冷房能力４．９４ｋＷ、冷房目安木造１４畳〜鉄筋２１畳、広さ２３〜３４ｍ３に適用可能である。
【００４２】
そして、天井埋め込み形のファンコイルユニット２４の第２分岐配管２３は、従来例では入口側が９．５２ｍｍ径２本、出口側が６．３５ｍｍ径１本から構成されているのに対し、本実施形態では入口側および出口側の双方共９．５２ｍｍ径２本から構成されている。このような天井埋め込み形のファンコイルユニット２４は、暖房能力６．５７ｋＷ、暖房目安木造７畳〜鉄筋８畳、広さ１１〜１４ｍ３であって、冷房能力３．４８ｋＷ、冷房目安木造１１畳〜鉄筋１０畳、広さ１１〜１８ｍ３に適用可能である。
【００４３】
このように本実施形態では、各種タイプのファンコイルユニット２４に接続される第２分岐配管２３の径または本数のいずれか一方を従来例より増加させているので、その増加分だけファンコイルユニット２４の伝熱管２４ａに単位時間当たりに供給される冷温水の量を増加することができる。
【００４４】
次に、本実施形態の空調系統を図４に基づいて説明する。
【００４５】
住宅の壁面には、新鮮空気を取り入れる取入口３５および屋内の汚れた空気を屋外に排出する吐出口３６がそれぞれ取り付けられ、取入口３５には吸気ダクト３７の一端が接続され、この吸気ダクト３７にはフィルタ３８が介挿されて他端が全熱換気扇３９に接続されている。この全熱換気扇３９には吐出口３６に一端が接続された排気ダクト４０の他端も接続されている。
【００４６】
また、全熱換気扇３９には、吸気ダクト４１および供給ダクト４２の一端がそれぞれ接続され、吸気ダクト４１の他端に設けられた吸気口４３が室内に臨んでいる。そして、供給ダクト４２にはファン４４が配設され、その他端がチャンバボックス４５に接続されている。
【００４７】
チャンバボックス４５には、６本の排気ダクト４６の一端がそれぞれ接続され、これらの排気ダクト４６における２本の他端は、それぞれファンコイルユニット２４に接続される一方、４本の他端には外気を直接室内に供給する排気口４７が設けられている。各ファンコイルユニット２４には、上述したように水側熱交換器５によって熱交換された冷温水が供給されており、この冷温水によって熱交換された冷風または温風が各ファンコイルユニット２４の吹出口から室内に吹き出される。
【００４８】
このように構成された空調系統では、ファン４４を駆動させると、取入口３５から新鮮空気を取り入れ、この新鮮空気が吸気ダクト３７を通りフィルタ３８にて粉塵などが除去された後、全熱換気扇３９および供給ダクト４２を経てチャンバボックス４５に供給される。
【００４９】
このチャンバボックス４５に供給された新鮮空気は、４本の排気ダクト４６を通り、各排気口４８から直接室内に排気されるとともに、２本の排気ダクト４６を通り、水側熱交換器５から供給された冷温水により冷風または温風に熱交換されて各ファンコイルユニット２４の吹出口から吹き出される。
【００５０】
次に、本実施形態の作用を説明する。
【００５１】
図１に示すように冷房運転時には、空気側熱交換器３によって凝縮した冷媒が水側熱交換器５で蒸発し冷水とする。この冷水は循環ポンプ１８を駆動させることにより、往き配管８を経て往きヘッダー１０に供給される。次いで、往きヘッダー１０に供給された冷水は、天井裏空間１４に配置された複数の第１分岐配管２２により分岐された後、さらに複数に分岐された第２分岐配管２３を経て各ファンコイルユニット２４に供給される。
【００５２】
そして、各ファンコイルユニット２４には、図４に示す空調系統により外気が供給されており、この外気が冷水によって熱交換されて冷風となり、この冷風が各ファンコイルユニット２４の吹出口から室内に吹き出されて冷房が行われる。
【００５３】
ここで、夏季における外気温に対する本実施形態の冷水温度と、ガス冷媒に対応した冷暖房装置による冷媒温度の１５分おきの推移を図５に示す。図５において、外気温を黒四角で示し、本実施形態の冷水温度を黒丸で示し、またガス冷媒に対応した冷暖房装置の冷媒温度を黒三角で示している。図５に示すように、ガス冷媒に対応した冷暖房装置の冷媒温度は、短時間に急激に変化するものの、本実施形態の冷水温度は、急激に変化しないため、ほぼ一定温度の冷風が各ファンコイルユニット２４の吹出口から室内に吹き出されることになり、居住者に対して快適な冷房を提供することができる。
【００５４】
また、各ファンコイルユニット２４にて熱交換されて温まった循環水は、複数の第２分岐配管２３および第１分岐配管２２を経て戻りヘッダー１１に戻された後、この戻りヘッダー１１からは戻り配管９を経て水側熱交換器５に戻り、再度冷水とされて上記と同様に屋内を循環する。
【００５５】
なお、冷房時には、床暖房用の分岐配管３１に介挿された電磁弁３４を閉止しておき、分岐配管３１に循環水が流通しないようにしておく。
【００５６】
一方、暖房運転時には、圧縮機２により圧縮された冷媒が水側熱交換器５に供給され、屋内を循環する循環水と熱交換して循環水を温水とする。この温水は循環ポンプ１８を駆動させることにより、往き配管８を経て往きヘッダー１０，１２に供給される。次いで、往きヘッダー１０に供給された温水は、複数の第１分岐配管２２および第２分岐配管２３により分岐されて各ファンコイルユニット２４に供給される。また、往きヘッダー１２に供給された温水は、複数の分岐配管３１により分岐されて床下空間１５内に複数配置された床暖房パネル３２および蛇行部３３に供給される。
【００５７】
また、各ファンコイルユニット２４にて熱交換されて冷却された循環水は、複数の第２分岐配管２３および第１分岐配管２２を経て戻りヘッダー１１に戻された後、この戻りヘッダー１１からは戻り配管９を経て水側熱交換器５に戻り、再度温水とされて上記と同様に屋内を循環する。
【００５８】
一方、床暖房パネル３２および蛇行部３３に供給された温水は、各室の暖房を行い、熱交換された循環水は、複数の分岐配管３１を経て戻りヘッダー１３に戻された後、この戻りヘッダー１３からは戻り配管９を経て水側熱交換器５に戻り、再度温水とされて上記と同様に屋内を循環する。
【００５９】
このように本実施形態によれば、ファンコイルユニット２４に直接接続される第２分岐配管２３を複数の系統に分岐構成したことにより、水側熱交換器５の冷温水が複数の系統の第２分岐配管２３からファンコイルユニット２４に導かれるので、ファンコイルユニット２４に単位時間当たりに供給される冷温水の量が大幅に増加する。
【００６０】
したがって、ガス冷媒に対応した既存のファンコイルユニットに本実施形態のように冷媒として冷温水を用いた場合でも、ファンコイルユニット２４に供給された冷温水が排出されるまでに冷媒として機能を十分果たすことができ、望ましい冷暖房効果を得ることができるとともに、冷温水用のファンコイルユニットを新たに製造する必要がなくなるため、設備費を削減することができる。
【００６１】
また、本実施形態によれば、往きヘッダー１０および戻りヘッダー１１から複数の系統に第１分岐配管２２を分岐し、さらに複数の系統に第２分岐配管２３を分岐したことにより、ファンコイルユニット２４に対して冷温水の流量および温度の均一化が図れ、常に一定の冷暖房効果が得られる。
【００６２】
さらに、本実施形態によれば、第２分岐配管２３を冷媒用伝熱部に接続される配管に対して太径に形成したことにより、ファンコイルユニット２４に単位時間当たりに供給される冷温水の量が大幅に増加するので、一段と望ましい冷暖房効果を得ることができる。
【００６３】
そして、本実施形態によれば、第１分岐配管２２を継目なし配管としたことにより、水漏れ事故を未然に防止し、冷温水の流れの抵抗を低減させることができる。
【００６４】
また、本実施形態によれば、第１分岐配管２２と第２分岐配管２３とをフレア式管継手２５を介して接続したことにより、配管作業の簡素化を図ることができる。
【００６５】
本実施形態によれば、伝熱部としてのファンコイルユニット２４には冷温水を、床暖房パネル３２には温水をそれぞれ導くことで、暖房運転時には暑くなり過ぎず、また冷房運転時には冷え過ぎることなく、理想的な冷暖房を行うことができる。
【００６６】
なお、本発明は上記実施形態に限定されることなく、種々の変更が可能である。例えば、上記実施形態では、水側熱交換器５から往き配管８、往きヘッダー１０、および分岐配管２２および分岐配管２３を経て各ファンコイルユニット２４に冷温水を供給するようにしたが、これに限定されることなく、水側熱交換器５から往き配管８および分岐配管２３を経て各ファンコイルユニット２４に直接冷温水を供給するようにしてもよい。
【００６７】
また同様に、本実施形態では、水側熱交換器５から往き配管８、往きヘッダー１２および分岐配管３１を経て床暖房パネル３２および蛇行部３３に温水を供給するようにしたが、これに限定されることなく、水側熱交換器５から往き配管８を経て床暖房パネル３２および蛇行部３３に直接温水を供給するようにしてもよい。
【００６８】
しかしながら、冷温水の流量および温度の均一化を図るためには、上記実施形態のように水側熱交換器５から往き配管８、往きヘッダー１０および分岐配管２２および分岐配管２３を経て各ファンコイルユニット２４に冷温水を供給するとともに、往き配管８、往きヘッダー１２および分岐配管３１を経て床暖房パネル３２および蛇行部３３に温水を供給することが望ましい。
【００６９】
さらに、本実施形態では、伝熱部としての各ファンコイルユニット２４に直接接続される第２分岐配管２３を複数の系統に分岐したが、これに限らず伝熱部としての床暖房パネル３２および蛇行部３３に温水を供給する分岐配管３１をさらに複数の系統に分岐して床暖房パネル３２および蛇行部３３に単位時間当たりに供給される温水の量を増加させるようにしてもよい。
【００７０】
図６（Ａ），（Ｂ）は本発明に係る住宅用冷暖房装置の他の実施形態におけるファンコイルユニットを示す正面図、概略構成図である。
【００７１】
図６（Ａ）に示すファンコイルユニット５０は、４方向天井カセット形であり、カバー５１がほぼ正方形状をなす空気吸込口５２と、この空気吸込口５２の外側４方向に配置された空気吹出口５３とを備えている。
【００７２】
空気吸込口５２の前面には吸込みグリル５４が取り付けられ、この吸込みグリル５４の隅角部には図６（Ｂ）に示すように４つのチェーン金具５５によって化粧板５６が着脱可能に掛け止めされて吊り下げられている。なお、吸込みグリル５４に対する化粧板５６の取付間隔は、空気を吸い込む際に支障とならないように５０ｍｍに設定されている。このように本実施形態によれば、ファンコイルユニット５０のカバー５１に化粧板５６を着脱可能に設けたことにより、季節や雰囲気などに応じて化粧板５６を交換すれば、好ましい室内装飾効果が得られる。
【００７３】
図７（Ａ），（Ｂ）は本発明に係る住宅用冷暖房装置の他の実施形態の変形例におけるファンコイルユニットを示す正面図、概略構成図である。
【００７４】
図７（Ａ）に示すファンコイルユニット６０は、２方向天井カセット形であり、カバー６１がほぼ長溝形状をなし両側近傍にそれぞれ設けられた空気吸込口６２と、これらの空気吸込口６２の外側にそれぞれオートベーン６３を介して設けられた空気吹出口６４とを備えている。
【００７５】
各空気吸込口６２の近傍には、図７（Ｂ）に示すようにそれぞれ保持具６５が取り付けられ、これらの保持具６５間に化粧板６６がスライド可能に取り付けられる。このように本実施形態によれば、ファンコイルユニット６０のカバー６１に化粧板６６を着脱可能に設けたことにより、図６の実施形態と同様に好ましい室内装飾効果が得られる。
【００７６】
【発明の効果】
以上説明したように、本発明によれば、水側熱交換器の冷温水が導かれる伝熱部に接続される配管部を複数の系統に分岐構成したことにより、水側熱交換器の冷温水が複数の系統の配管部から伝熱部に導かれるので、伝熱部に単位時間当たりに供給される冷温水の量が大幅に増加する。その結果、ガス冷媒に対応した既存の伝熱部に本発明のように冷媒として冷温水を用いた場合でも、望ましい冷暖房効果を得ることができるとともに、冷温水用の伝熱部を新たに製造する必要がなくなる。
【図面の簡単な説明】
【図１】本発明に係る住宅用冷暖房装置の一実施形態を示す配管系統図である。
【図２】図１における第１分岐配管と第２分岐配管との接続形態を示す分解図である。
【図３】本発明に係る住宅用冷暖房装置の一実施形態を示す空調系統図である。
【図４】本発明に係る住宅用冷暖房装置の一実施形態を示す空調系統図である。
【図５】夏季における外気温に対する本実施形態の冷水温度と、ガス冷媒に対応した冷暖房装置による冷媒温度の１５分おきの推移を示すグラフである。
【図６】（Ａ），（Ｂ）は本発明に係る住宅用冷暖房装置の他の実施形態におけるファンコイルユニットを示す正面図、概略構成図である。
【図７】（Ａ），（Ｂ）は本発明に係る住宅用冷暖房装置の他の実施形態の変形例におけるファンコイルユニットを示す正面図、概略構成図である。
【符号の説明】
１  ヒートポンプチラー（ヒートポンプ）
２  圧縮機
３  空気側熱交換器
５  水側熱交換器
８  往き配管（配管）
９  戻り配管（配管）
１０  往きヘッダー
１１  戻りヘッダー
１２  往きヘッダー
１３  戻りヘッダー
１４  天井裏空間
１５  床下空間
１６  防振フレキシブル管
１７  防振フレキシブル管
１８  循環ポンプ
１９  分岐管
２０  加圧ポンプ
２１  開閉弁
２２  第１分岐配管
２３  第２分岐配管（配管部）
２４  ファンコイルユニット（伝熱部）
２５  フレア式管継手
３１  分岐配管
３２  床暖房パネル（伝熱部）
３３  蛇行部（伝熱部）
３４  電磁弁
３５  取入口
３６  吐出口
３７  吸気ダクト
３８  フィルタ
３９  全熱換気扇
４０  排気ダクト
４１  吸気ダクト
４２  供給ダクト
４３  吸気口
４４  ファン
４５  チャンバボックス
４６  排気ダクト
４７  排気口
５０  ファンコイルユニット
５１  カバー
５６  化粧板
６０  ファンコイルユニット
６１  カバー
６６  化粧板
【図１】
2004169946.tif 000003
【図２】
2004169946.tif 000004
【図３】
2004169946.tif 000005
【図４】
2004169946.tif 000006
【図５】
2004169946.tif 000007
【図６】
2004169946.tif 000008
【図７】
2004169946.tif 000009